(57)【要約】【課題】  移動用ハンドル付きのエンジン駆動式作業機において，移動用ハンドルの不使用時には，これをコンパクトに折り畳み得るようにすると共に，該ハンドルを利用してフレーム上の搭載物を他物の接触から保護する。【解決手段】  移動用ハンドル８６を，先端にハンドルグリップ９３を有する左右一対のハンドルバー８８，８８と，これらハンドルバー８８，８８の中間部を相互に一体に連結するクロスメンバ８９とで構成し，両ハンドルバー８８，８８をフレーム２の左右の側枠２ｂ，２ｂ上部に，両ハンドルバー８８，８８が，フレーム２から張り出す使用位置Ａと，ハンドルグリップ９３を下向きにしてクロスメンバ８９と協働してバンパとして機能する格納位置Ｂとの間を回動し得るように取り付けた。【選択図】  図１
2005030552.tif 000002
【特許請求の範囲】
【請求項１】
底枠（２ａ）と，この左右の側辺部を共有する左右一対の側枠（２ｂ，２ｂ）とからなるフレーム（２）と，前記底枠（２ａ）にフレーム（２）の前後方向に回転可能に軸支される車輪（８３）と，前記底枠（２ａ）に支持される，エンジン（３）及びそれにより駆動される作業機（４）を含む搭載物と，前記フレーム（２）の前後方向端部に設けられる移動用ハンドル（８６）とを備えるエンジン駆動式作業機において，
前記移動用ハンドル（８６）を，先端にハンドルグリップ（９３）を有する左右一対のハンドルバー（８８，８８）と，これらハンドルバー（８８，８８）の中間部を相互に一体に連結するクロスメンバ（８９）とで構成し，前記両ハンドルバー（８８，８８）を前記側枠（２ｂ，２ｂ）の上部に，両ハンドルバー（８８，８８）が，前記フレーム（２）から張り出す使用位置（Ａ）と，前記ハンドルグリップ（９３）を下向きにして前記クロスメンバ（８９）と協働してバンパとして機能する格納位置（Ｂ）との間を回動し得るように取り付けたことを特徴とする，エンジン駆動式作業機。
【請求項２】
請求項１記載のエンジン駆動式作業機において，
前記移動用ハンドル（８６）の格納位置（Ｂ）では，前記底枠（２ａ）の，前記搭載物より外方に張り出した端部に前記ハンドルバー（８８，８８）が当接するようにしたことを特徴とする，エンジン駆動式作業機。
【請求項３】
請求項１又は２記載のエンジン駆動式作業機において，
前記フレーム（２）には前記エンジン（３）及び作業機（４）のための電装品（５３，５５）を，これが前記格納位置（Ｂ）の移動用ハンドル（８６）により保護されるように搭載したことを特徴とする，エンジン駆動式作業機。
【請求項４】
請求項２記載のエンジン駆動式作業機において，
前記底枠（２ａ）と前記両側枠（２ｂ，２ｂ）前後方向端部とに，前記エンジン（３）及び作業機（４）のための電装品（５３，５５）を収容保持する制御ボックス（３４）を，これが前記格納位置（Ｂ）の移動用ハンドル（８６）により保護されるように取り付けたことを特徴とする，エンジン駆動式作業機。
【発明の詳細な説明】
【技術分野】
【０００１】
本発明は，底枠と，この左右の側辺部を共有する左右一対の側枠とからなるフレームと，前記底枠にフレームの前後方向に回転可能に軸支される車輪と，前記底枠に支持される，エンジン及びそれにより駆動される作業機を含む搭載物と，前記フレームの前後方向端部に設けられる移動用ハンドルとを備え，その移動用ハンドルの押し引き操作により，前記車輪を転がして移動を容易にしたエンジン駆動式作業機の改良に関する。
【背景技術】
【０００２】
かゝるエンジン駆動式作業機は，例えば下記特許文献１に開示されているように，既に知られている。
【特許文献１】特開平１０−８９０８３号公報
【発明の開示】
【発明が解決しようとする課題】
【０００３】
特許文献１に開示されるエンジン駆動式作業機では，移動用ハンドルがフレームに一体に連設されていて，フレームから常時張り出し状態にあるため，作業機の使用中は該ハンドルが作業の邪魔になったり，倉庫等への格納時には該ハンドルにより大きな格納スペースの確保が強いられる等の不都合がある。
【０００４】
本発明は，かゝる事情に鑑みてなされたもので，移動用ハンドルの不使用時には，これをコンパクトに折り畳み得るようにして，該ハンドルに邪魔されることなく作業を容易にしたり，比較的小さい格納スペースへの格納を可能にし，しかも該ハンドルを利用してフレーム上の搭載物を他物の接触から保護することを可能にした前記エンジン駆動式作業機を提供することを目的とする。
【課題を解決するための手段】
【０００５】
上記目的を達成するために，本発明は，底枠と，この左右の側辺部を共有する左右一対の側枠とからなるフレームと，前記底枠にフレームの前後方向に回転可能に軸支される車輪と，前記底枠に支持される，エンジン及びそれにより駆動される作業機を含む搭載物と，前記フレームの前後方向端部に設けられる移動用ハンドルとを備えるエンジン駆動式作業機において，前記移動用ハンドルを，先端にハンドルグリップを有する左右一対のハンドルバーと，これらハンドルバーの中間部を相互に一体に連結するクロスメンバとで構成し，前記両ハンドルバーを前記側枠の上部に，両ハンドルバーが，前記フレームから張り出す使用位置と，前記ハンドルグリップを下向きにして前記クロスメンバと協働してバンパとして機能する格納位置との間を回動し得るように取り付けたことを第１の特徴とする。
【０００６】
尚，前記作業機は，本発明の後述する実施例中の発電機４に対応し，またエンジン駆動式作業機はエンジン駆動式発電機１に対応する。
【０００７】
また本発明は，第１の特徴に加えて，前記移動用ハンドルの格納位置では，前記底枠の，前記搭載物より外方に張り出した端部に前記ハンドルバーが当接するようにしたことを第２の特徴とする。
【０００８】
さらに本発明は，第１又は第２の特徴に加えて，前記フレームには前記エンジン及び作業機のための電装品を，これが前記格納位置の移動用ハンドルにより保護されるように搭載したことを第３の特徴とする。
【０００９】
前記電装品は，本発明の後述する実施例中の制御ユニット５３及びインバータ５５に対応する。
【００１０】
さらにまた本発明は，第２の特徴に加えて，前記底枠と前記両側枠の前後方向端部とに，前記エンジン及び作業機のための電装品を収容保持する制御ボックスを，これが前記格納位置の移動用ハンドルにより保護されるように取り付けたことを第４の特徴とする。
【００１１】
尚，前記制御ボックスは，本発明の後述する実施例中の吸気ボックス３４に対応する。
【発明の効果】
【００１２】
本発明の第１の特徴によれば，移動用ハンドルの不使用時には，これを格納位置に回動することにより，コンパクトに折り畳むことができ，したがって該ハンドルに邪魔されることなく，エンジン駆動式作業機による作業を容易に行うことができ，またエンジン駆動式作業機の倉庫等への格納時には比較的小さい格納スペースで足り，しかも該ハンドルがバンパとして機能することにより，専用のバンパを設けずとも，フレーム上の搭載物を他物の接触から保護することができる。
【００１３】
また本発明の第２の特徴によれば，格納位置に回動された移動用ハンドルは，フレームと協働して強固なバンパを構成することができ，フレーム上の搭載物を強固に保護することができる。
【００１４】
さらに本発明の第３の特徴によれば，格納位置に回動された移動用ハンドルによって電装品を，他物との接触から保護することができる。
【００１５】
さらにまた本発明の第４の特徴によれば，電装品を収容する比較的大型の制御ボックスを，それに特別なガードフレームを設けずとも，格納位置に回動された移動用ハンドルとフレームの底枠とで効果的に保護することができ，したがって大型の制御ボックスの本体を合成樹脂製として，その軽量化を図ることができる。
【発明を実施するための最良の形態】
【００１６】
本発明の実施の形態を，図面に示す本発明の好適な実施例に基づき以下に説明する。
【００１７】
図１は本発明に係るエンジン駆動式発電機の側面図で移動用ハンドルを使用状態で示す。図２は同エンジン駆動式発電機の平面図，図３は同エンジン駆動式発電機の正面図，図４は移動用ハンドルを格納状態にした場合の同エンジン駆動式発電機の正面図，図５は吸気ボックスのボックス本体を取り外した状態で示す同エンジン駆動式発電機の正面図，図６は同エンジン駆動式発電機の背面図，図７は排気ボックスの一部を破断して示す同エンジン駆動式発電機の背面図，図８は同エンジン駆動式発電機の一部の分解斜視図，図９は図３の９−９線断面図，図１０は図３の１０−１０線断面図，図１１は図３の１１−１１線断面図，図１２は図１１の１２−１２線断面図，図１３は図２の１３−１３線断面図，図１４は図１３の１４−１４線断面図，図１５は図１の移動用ハンドル部の拡大図，図１６は図１５の１６−１６線断面図，図１７は図１６の１７−１７線断面図，図１８は図１５の１８−１８線断面図，図１９は図１５の１９−１９線断面図，図２０は図９の２０−２０線断面図である。
【００１８】
先ず図１〜図３において，本発明のエンジン駆動式発電機１は，フレーム２と，このフレーム２の下部に弾性支持されるエンジン３及び発電機４と，フレーム２の上部に取り付けられる燃料タンク５と，エンジン３及び発電機４のための制御ユニット５３とを備える。
【００１９】
フレーム２は，図１〜図３及び図８に示すように，鋼管をコ字状に屈曲させてなる底枠２ａと，この底枠２ａの両端に連なる鋼管を立ち上がらせた後，水平に屈曲してなり，底枠２ａの左右両辺部と協働してコ字状をなす左右の側枠２ｂ，２ｂとから構成される。
【００２０】
上記底枠２ａには，左右両辺部間を連結する複数本の下部クロスメンバ７，７…が設けられ，両側枠２ｂ，２ｂの垂直辺部の上部間には，それらを連結する中間クロスメンバ８が設けられ，両側枠２ｂ，２ｂの上方の傾斜した角部同士を連結する上部クロスメンバ８′が設けられる。この中間クロスメンバ８はバンパを兼ねるように，その長手方向中間部を両側枠２ｂ，２ｂより外方に突出させている。左右の側枠２ｂ，２ｂの上辺部には，それらの中間部相互を連結するハンガ部材９が設けられ，エンジン駆動式発電機１の吊り上げ移動に供される。こうして，フレーム２は周囲を開放した枠型に構成される。
【００２１】
尚，エンジン駆動式発電機１では，コ字状の側枠２ｂ，２ｂの開いた側を前側，同側枠２ｂ，２ｂの閉じた側，即ち中間クロスメンバ８側を後側とする。
【００２２】
図６〜図８において，上記下部クロスメンバ７，７…のうちの２本のクロスメンバ７，７には，左右一対前後２組の支持板１０，１０；１０，１０がそれぞれ弾性部材１１，１１；１１，１１を介して付設される。また左右の側枠２ｂ，２ｂには，フレーム２の前面側で垂直に配置される左右一対，上下２組の一対のブラケット１２，１２；１３，１３が設けられ，上部のブラケット１２，１２の下部には，各対応する側枠２ｂの垂直辺部の上端部から前方に延びる補強ステー１４，１４が結合される。これら補強ステー１４，１４の前端部には左右一対のブラケット片１６，１６が設けられる。
【００２３】
各左右一対の支持板１０，１０；１０，１０には，それらを互い連結する連結板１５，１５がボルト結合され，これら連結板１５，１５にエンジン３の底壁が，若しくはエンジン３に結合される後述のダクト部材３１の底壁がボルト３３により結合される。こうして，エンジン３及び発電機４の組立体は，フレーム２に弾性支持される。
【００２４】
図９〜図１１において，エンジン３及び発電機４の外周には，冷却ファン２６を囲繞しながらエンジン３及び発電機４との間に一連の冷却風通路３２を画成するダクト部材３１が配設され，上記冷却風通路３２では，冷却ファン２６の回転により，冷却ファン２６側の上流端からエンジン３の後面側の下流端に向かって冷却風が流れるようになっている。ダクト部材３１は，その製作を容易にするため，複数に分割されており，その適所をエンジン３の外周面にボルト結合される。
【００２５】
図３及び図９に示すように，エンジン３は４サイクル式であって，クランク軸１７をエンジン駆動式発電機１の前後方向に向けて配置され，そのシリンダ部１９は，クランク軸１７を収容，支持するクランクケース１８から一側方へ斜め上向きに突出しており，このシリンダ部１９の前面及び後面に吸気ポート及び排気ポートがそれぞれ開口する。
【００２６】
発電機４は，クランクケース１８の前端面に複数のボルト２１で固着されていて複数のステータコイル２２ａを備えるステータ２２と，クランクケース１８の前端壁を貫通して前方へ延びるクランク軸１７の前端部に固着され，内周面に複数の永久磁石２３ａを配列して固設したアウタロータ２３とで構成され，即ちアウタロータ式多極磁石発電機となっている。アウタロータ２３は，ステータ２２に囲繞されるハブ２３ｂを備えており，このハブ２３ｂがクランク軸１７の端部にテーパ嵌合されると共に，キー２４とナット２５によりクランク軸１７の端部に固着される。こうしてアウタロータ２３は，クランク軸１７に片持ち支持される。
【００２７】
上記アウタロータ２３の外端面には，それより大径でダクト部材３１の内径に対応した遠心式の冷却ファン２６と，この冷却ファン２６の前方へ突出するリコイル式スタータ２７とが取り付けられる。
【００２８】
図６及び図９に示すように，クランク軸１７の後端部にはリングギヤ２８が固着され，このリングギヤ２８をピニオン２９及びオーバランニングクラッチ（図示せず）を介して駆動するスタータモータ３０がクランクケース１８の上部に取り付けられる。
【００２９】
図１〜５，図８〜図１１において，フレーム２の前部には，正面視でエンジン駆動式発電機４の前面の輪郭を形作る方形の吸気ボックス３４が配設される。この吸気ボックス３４は，後面を開放した合成樹脂製のボックス本体３６と，その開放後面を閉じるようにボックス本体３６に結合される鋼板製の端板３７とからなっており，その端板３７がフレーム２の補強部材として前記ブラケット１２，１３に複数のボルト３５で分離可能に固着され，またボックス本体３６は端板３７に分離可能にボルト結合される。
【００３０】
上記のように，フレーム２は，一本の鋼管により，コ字状の底枠２ａと，この底枠２ａの左右側辺部を共有するコ字状の左右一対の側枠２ｂ，２ｂとを形成し，両側枠２ｂ，２ｂ間を複数のクロスメンバ７，８，８′により連結してなるので，その構造は極めて簡単であり，しかもこのフレーム２は，その開放された前端部に着脱可能に連結された吸気ボックス３４により補強されることで，フレーム２の軽量化をもたらすことができる。
【００３１】
また吸気ボックス３４をフレーム２から取り外せば，それによって開放されるフレーム２の前面側からエンジン３及び発電機４の脱着が可能となり，それらのメンテナンスを容易に行うことができる。
【００３２】
ボックス本体３６の前面には第１吸気ルーバ３８ａが設けられ，また端板３７には第２吸気ルーバ３８ｂと，ダクト部材３１の上流端に隣接する大径の第１接続口３９と，小径の第２接続口４０とが設けられ，その第１接続口３９の周縁には，ゴム等の弾性材からなる環状の第１シール部材４１が装着され，この第１シール部材４１の環状で可撓性に富むシールリップ４１ａがダクト部材３１の外周に気密に嵌装される。この第１シール部材４１は，そのシールリップ４１ａの弾性変形により，ダクト部材３１及び吸気ボックス３４の相対変位を許容しながら，吸気ボックス３４及びダクト部材３１間を連通する。ダクト部材３１の上流端部は，吸気ボックス３４内に突入するように後述するスタータカバー３１ａで構成され，このスタータカバー３１ａの端壁及び周壁には多数の通風孔１１６ａ，１１６ｂが設けられている（図２０参照）。吸気ボックス３４は，その横断面積が上記通風孔１１６ａ，１１６ｂの総合開口面積より大きくなっていて消音膨張室を構成する。
【００３３】
図９及び図２０において，前記リコイル式スタータ２７は，アウタロータ２３の外端面に固着されるカップ状の被動部材１１１と，ダクト部材３１の上流端にそれを覆うように結合される椀状のスタータカバー３１ａと，このスタータカバー３１ａの内壁に回転自在に軸支されてスタータロープ１１３が巻装されるローププーリ１１４と，このローププーリ１１４及び被動部材１１１間に設けられ，スタータロープ１１３の牽引によるローププーリ１１４の正転時のみローププーリ１１４及び被動部材１１１間を連結する一方向クラッチ１１５とを備え，ローププーリ１１４は図示しない戻しばねにより逆転方向に付勢されている。ローププーリ１１４には多数の通風孔１１２が形成され，ローププーリ１１４がダクト部材３１内の冷却風の流れを妨げないようになっている。
【００３４】
スタータロープ１１３は，スタータカバー３１ａ及び吸気ボックス３４の側壁にそれぞれ設けられたグロメット状のロープガイド１１８，１１９を通して吸気ボックス３４外に引き出され，その外端に操作ノブ１１７が接続される。この操作ノブ１１７は，その後退位置では，外側のロープガイド１１９の外端で支承される。
【００３５】
こうしてリコイル式スタータ２７の操作ノブ１１７が配置される吸気ボックス３４の外側部分は，エンジン駆動式発電機１の略最外側部分に当たるので，操作ノブ１１７の牽引操作を，他物に干渉されることなく容易に行うことができ，始動操作性が良好である。
【００３６】
図１，図１０〜図１２において，エンジン３のシリンダ部１９の前面には気化器４４が取り付けられる。この気化器４４はダクト部材３１の側壁を貫通してダクト部材３１外に露出しており，同じくダクト部材３１外に配設されるエアクリーナ４５が，ゴム等の弾性材からなる弾性連通チューブ４６を介して気化器４４の吸気道入口に接続される。またエンジン３の点火プラグに接続されるハイテンションコード４３もダクト部材３１の側壁を貫通して外部に引き出される。
【００３７】
図１に示すように，上記エアクリーナ４５は，側面視でエンジン３のクランク軸１７の軸方向に長い略矩形をなしていて，その少なくとも一部がクランクケース１８の一側方にやゝ上向き倒したシリンダ部１９の下方に来るように配置される。こうすることにより，エンジン駆動式発電機１の重心を下げつゝ，比較的大容量のエアクリーナ４５の設置が可能となる。
【００３８】
このエアクリーナ４５は，図１１及び図１２に明示するように，ボルト５０によりダクト部材３１外側面に固着されて外側面を開放するクリーナケース４７と，このクリーナケース４７の開放面を閉鎖するようにボルト５１でクリーナケース４７に結合されるケースカバー４８と，これらクリーナケース４７及びケースカバー４８間に挟持されるクリーナエレメント４９とで構成され，クリーナケース４７は，クリーナエレメント４９の未浄化面側に連通する空気入口管４７ａを一体に有する。
【００３９】
前記第２接続口４０の周縁には，ゴム等の弾性材からなる環状の第２シール部材４２が装着され，この第２シール部材４２の環状で可撓性に富むシールリップ４２ａがエアクリーナ４５の前記４７ａの外周に嵌装される。この第２シール部材４２は，そのシールリップ４２ａの弾性変形により，フレーム２にエンジン３を介して弾性支持されるダクト部材３１と，フレーム２に固定支持される吸気ボックス３４との相対変位を許容しながら，吸気ボックス３４及びエアクリーナ４５間を連通する。
【００４０】
図３，図５及び図９において，吸気ボックス３４は，その前面上部に操作窓５２が設けられており，吸気ボックス３４内で第１接続口３９の上方に配設される，エンジン３及び発電機４のための制御ユニット５３の操作パネル５３ａがこの操作窓５２に臨むようになっている。制御パネル５３ａは，吸気ボックス３４の後壁内面にボルト５４により固着される。
【００４１】
また吸気ボックス３４内では，制御ユニット５３及びインバータ５５が第１吸気ルーバ３８ａ及び第１接続口３９間に設置され，またバッテリ６１が第１吸気ルーバ３８ａ及び第２接続口４０間に設置される。特に，ダクト部材３１の，第１接続孔３９から吸気ボックス３４内に突入して配置される上流端部，即ちスタータカバー３１ａがインバータ５５の背面に近接配置される。
【００４２】
上記インバータ５５（特に図５参照）は，その下端面に突設された複数の支持軸５６をグロメット５７を介して吸気ボックス３４の底壁に支持させると共に，上端の複数の耳片５８を吸気ボックス３４の端板３７にボルト５９で結合することにより，吸気ボックス３４に取り付けられる。その際，インバータ５５の周囲には，第１及び第２吸気ルーバ３８ａ，３８ｂから第１及び第２接続口３９，４０への空気の流れを妨げないための充分な通風間隙が設けられる。
【００４３】
また上記バッテリ６１は，ゴムバンド６２により端板３７に保持される。その際，バッテリ６１の周囲には，第１及び第２吸気ルーバ３８ａ，３８ｂから第２接続口４０への空気の流れを妨げないための充分な通風間隙が設けられる。このバッテリ６１の点検のため，吸気ボックス３４の前壁に，リッド６３で閉鎖可能の点検窓６４（図８参照）が設けられている。
【００４４】
図９に明示するように，ダクト部材３１の下流端には取り付けフランジ６７が形成されており，この取り付けフランジ６７に排気ボックス６８が取り付けられる。排気ボックス６８は，後面上部に排気ルーバ７３を有すると共に前面を開放したボックス本体６８と，その開放面を閉鎖するように，ボックス本体６９のフランジ部６８ａと接合される端板７０とからなっており，その端板７０及びフランジ部６８ａが前記取り付けフランジ６７に複数のボルト７１で固着される。排気ボックス６８の端板７０には大小の通孔７２，７５（図７参照）が穿設されており，これら通孔７２，７５を通してダクト部材３１の下流端と排気ボックス６８内部とが連通される。この排気ボックス６８は，その横断面積が通孔７２，７５の開口面積より充分に大きくなっていて，消音膨張室を構成する。
【００４５】
この排気ボックス６８に，エンジン３のシリンダ部１９の後面に取り付けられる排気マフラ７４と，この排気マフラ７４の出口管７４ａとが収容され，その出口管７４ａの終端は排気ボックス６８の排気ルーバ７３から遠く離れた場所に開口する。そして排気マフラ７４の周囲には，各通孔７２，７５から排気ルーバ７３への冷却風の流れを許容する充分な通風間隙が設けられる。
【００４６】
図１，図７，図９，図１３及び図１４に示すように，エンジン３及び発電機４を覆うダクト部材３１の上部には，上壁に給油口キャップ５ａを備える前記燃料タンク５が配設される。この燃料タンク５は，平面視で略正方形をなしていてダクト部材３１の上面を全長に亙り覆うようになっており，その外周に突設された取り付けフランジ７７の四つの隅角部が，それらの上下に配置された弾性部材７８，７８′と共に，前記フレーム２の上部クロスメンバ８′及びブラケット片１６，１６にボルト７９で着脱可能に取り付けられる。こうして燃料タンク５はフレーム２に弾性支持される。
【００４７】
特に図１３及び図１４において，燃料タンク５の取り付けフランジ７７の後端部を支持する，フレーム２の上部クロスメンバ８′には，取り付けフランジ７７の下方に屈曲した屈曲縁７７ａを臨ませる樋８０が形成され，この樋８０の両端は，流出孔８１を介して左右の側枠２ｂ，２ｂの縦辺部外周面に連通する。上記流出孔８１は，クロスメンバ８′の，左右の側枠２ｂ，２ｂへの溶接部に切欠き状に形成される。また燃料タンク５の上面には，樋８０側に向かって下り取り付けフランジ７７に達する斜面５ｂが形成される。
【００４８】
而して，燃料タンク５への給油時，万一，給油口から燃料タンク５の上面に溢れ出た燃料が後方へ流れゝば，その燃料は，斜面５ｂを流下して取り付けフランジ７７に達し，そして該フランジ７７の下方への屈曲端縁７７ａに誘導されて樋８０に確実に流れ落ち，樋８０を流れて左右何れかの流出孔８１から左右何れかの側枠２ｂ，２ｂの縦辺部外周面に沿って流下し，機外に落下する。
【００４９】
したがって，図示例のように，樋８０の下方に排気ボックス６８など，エンジン３や発電機４，その付属機器が配置されていても，それが上記溢出燃料により汚損されることはないから，レイアウトの自由度を大幅に広げることができる。
【００５０】
また樋８０は，フレーム２の補強部材であるクロスメンバ８′を利用して形成されるので，構造の簡素化を図ることができ，しかもそのクロスメンバ８′の両端に流出口８１が切欠き状に形成されることで，フレーム２の強度低下を回避することができる。
【００５１】
上記ダクト部材３１，排気ボックス６８及び燃料タンク５は，枠型フレーム２内に配置される。
【００５２】
而して，エンジン３の運転時には，回転するクランク軸１７により発電機４を駆動することにより，発電を行い，その出力は，インバータ５５及び制御ユニット５３により制御された後，操作パネル５３ａ上のコンセントから取り出される。
【００５３】
またクランク軸１７により回動駆動される冷却ファン２６は，外気を冷却風として第１及び第２吸気ルーバ３８ａ，３８ｂから吸気ボックス３４に引き込み，そしてダクト部材３１内を上流端から下流端へと流し，排気ボックス６８内を通して，排気ルーバ７３から外部に排出させる。このような冷却空気の流れによって，吸気ボックス３４内では制御ユニット５３及びインバータ５５が冷却され，またダクト部材３１内ではエンジン３及び発電機４が冷却され，排気ボックス６８内では排気マフラ７４が冷却される。
【００５４】
特に，ダクト部材３１の上流端部，即ち通風孔１１６ａ，１１６ｂを有するスタータカバー３１ａが吸気ボックス３４内でインバータ５５の背面に近接配置されるので，インバータ５５周りの空気がダクト部材３１に効果的に吸入されることになり，比較的高温になり易いインバータ５５を効果的に冷却することができる。
【００５５】
また排気マフラ７４の出口管７４ａから排出される排ガスは，排気ボックス６８内で上記冷却風と混合して排気温度を下げることができ，同時にその排気音の効果的な低減を図ることができる。
【００５６】
しかも冷却ファン２６は，ダクト部材３１の内径に対応した大径のものが，クランク軸１７に片持ち支持されるアウタロータ２３の広い外端面を利用して，簡単に取り付けることができ，エンジン３及び発電機４の冷却効果を高めることができる。
【００５７】
エンジン３，発電機４の運転中，これら及び冷却ファン２６の発する作動騒音はダクト部材３１により遮断される。即ち，ダクト部材３１がエンジン３，発電機４及び冷却ファン２６の防音壁の役割を果たす。またその作動騒音がダクト部材３１の上流端及び下流端から吸気ボックス３４及び排気ボックス６８に伝達しても，吸気ボックス３４及び排気ボックス６８の膨張消音作用により，上記作動騒音を効果的に消音することができ，外部への作動騒音の漏れを極力防ぐことができる。特に，吸気ボックス３４では，制御ユニット５３及びインバータ５５が，第１接続口３９と第１吸気ルーバ３８ａ間に配置されるので，制御ユニット５３及びインバータ５５が第１接続口３９及び第１吸気ルーバ３８ａ間の遮音隔壁となって，騒音の外部への漏れを防ぎ，吸気ボックス３４の消音効果を高めることができる。こうして，エンジン駆動式発電機１の静粛性が確保される。
【００５８】
さらに燃料タンク５はダクト部材３１の上面をその全長に亙り覆うことで，ダクト部材３１と協働して，エンジン３及び発電機４に対する二重の防音壁を構成することになり，エンジン３及び発電機４の作動騒音の上方への漏れを効果的に防ぎ，簡単な構造でエンジン駆動式発電機１の静粛性を一層高めることができる。
【００５９】
しかも，上記のように比較的大型の燃料タンク５は，左右の側枠２ｂ，２ｂの上部に取り付けられるので，その取り付け，取り外しが容易であり，また吸気ボックス３４と同様にフレーム２に対して着脱可能であるから，この燃料タンク５及び吸気ボックス３４を取り外すことにより，フレーム２の上面及び前面を開放して，エンジン３及び発電機４の脱着を容易に行うことができ，それらのメンテナンス性を向上させることができる。
【００６０】
またエンジン３の吸気行程時には，吸気ボックス３４内の空気がエアクリーナ４５及び気化器４４を通してエンジン３に吸入されるので，エンジン３の吸気騒音も吸気ボックス３４により効果的に消音することができる。特に，吸気ボックス３４内のバッテリ６１は第２接続口４０及び第１吸気ルーバ３８ａ間の遮音隔壁となって，吸気騒音の外部への漏れを防ぎ，吸気ボックス３４の消音効果を一層高めることができる。
【００６１】
このように，エンジン３，発電機４及び冷却ファン２６の作動騒音等を，エンジン３及び発電機４を覆うダクト部材３１及びその上流及び下流端に接続される吸気及び排気ボックス３４，６８により簡単，確実に低減することができ，しかもこれらダクト部材３１並びに吸気及び排気ボックス３４，６８は，開放された枠型フレーム２内に配設されるので，エンジン駆動式発電機全体を防音壁で覆う従来のものに比して，エンジン駆動式発電機１のコンパクト化と軽量化を図ることができる。その上，ダクト部材３１外には，気化器４４やエアクリーナ４５が配設されるので，これらのメンテナンス作業を容易，迅速に行うことができる。
【００６２】
このようなエンジン３の運転中の振動は，エンジン３及びフレーム２間に介装される弾性部材１１，１１；１１，１１の弾性変形により吸収され，フレーム２への振動伝達を防止，若しくは著しく低減することができる。
【００６３】
ところで，ダクト部材３１及びエアクリーナ４５は，上記エンジン３に固定されているので，エンジン３と共に振動するものであるが，吸気ボックス３４はフレーム２に固定されているので，エンジン３及び発電機４の運転時には，ダクト部材３１及びエアクリーナ４５と吸気ボックス３４との各間にエンジン３の振動による相対変位が生じることになる。しかしながら，吸気ボックス３４の第１及び第２接続口３９，４０は，可撓性に富む第１及び第２シール部材４１，４２を介してダクト部材３１及びエアクリーナ４５に接続されているので，第１及び第２シール部材４１，４２の撓みによりダクト部材３１及びエアクリーナ４５と吸気ボックス３４との各間の振動に伴う相対変位が許容され，吸気ボックス３４からダクト部材３１への冷却風の流通を漏れなく効率良く行うことができる。
【００６４】
図３及び図９に示すように，フレーム２の底枠２ａには，後部側，即ち排気ボックス６８側で左右一対の車輪８３，８３が軸支され，また前部側，即ち吸気ボックス３４側で左右一対の接地脚８４，８４が固設される。
【００６５】
図１，図１５〜図１９において，フレーム２前端の上部ブラケット１２，１２には，左右一対のハンドルブラケット８７，８７が吸気ボックス３４の端板３７とボルト３５で共締めされ，そしてこれらハンドルブラケット８７，８７は，吸気ボックス３４のボックス本体３６に設けられた左右一対のスリット７６，７６（図８参照）を通して外部に突出しており，それらの突出部に，エンジン駆動式発電機１を移動する際に使用する移動用ハンドル８６が取り付けられる。この移動用ハンドル８６は，左右一対のハンドルバー８８，８８と，これらハンドルバー８８，８８の中間部を相互に連結するクロスメンバ８９と，各ハンドルバー８８，８８と，その基端に溶接した連結板９０とにボルト結合されるＬ字状の支持基板９２と，各ハンドルバー８８，８８に先端に嵌装されたゴム製のハンドルグリップ９３とからなっており，左右の支持基板９２，９２が左右のハンドルブラケット８７，８７にそれぞれ水平方向の枢軸ボルト９４，９４を介して連結され，移動用ハンドル８６は，両ハンドルバー８８，８８を水平にした使用位置Ａと，ハンドルグリップ９３を垂直に下方に向けた格納位置Ｂとの間を回動し得るようになっている。枢軸ボルト９４の頭部と支持基板９２との間には，移動用ハンドル８６に適当な回動抵抗を付与する皿ばね９５が介裝される。
【００６６】
移動用ハンドル８６の使用位置Ａは，前記連結板９０及び支持基板９２に形成されたストッパ９６がハンドルブラケット８７の先端面に当接することにより規定され，格納位置Ｂは，ハンドルグリップ９３がフレーム２の底枠２ａの，吸気ボックス３４より前方に張り出した前辺部に当接することにより規定される。
【００６７】
支持基板９２には，移動用ハンドル８６を格納位置Ｂから使用位置Ａへ回動するとき，上記ストッパ９６がハンドルブラケット８７に当接する直前に作動するダンパ９７が設けられる。即ち，ダンパ９７は，支持基板９２の内壁に一体に突設した支軸９８と，この支軸９８の外周に嵌装されるゴムからなるクッション部材９９と，このクッション部材９９の外周に嵌装されるブッシュ１００とから構成されており，ストッパ９６がハンドルブラケット８７の先端面に当接する直前にブッシュ１００が同ブラケット８７に当接してクッション部材９９が弾性変形して，移動用ハンドル８６の回動衝撃を吸収するようになっている。
【００６８】
また移動用ハンドル８６及びハンドルブラケット８７には，移動用ハンドル８６を使用位置Ａにロックするロック機構１０１が設けられる。このロック機構１０１は，左右の連結板９０，９０及び支持基板９２，９２間に固設された枢軸１０２，１０２に支承されてロック位置Ｌとアンロック位置Ｕとの間を回動し得る操作レバー１０３，１０３を備えている。各操作レバー１０３にはロックピン１０５が，またハンドルブラケット８７の上縁部にはロック溝１０６がそれぞれ設けられていて，移動用ハンドル８６の使用位置Ａで，操作レバー１０３をロック位置Ｌ及びアンロック位置Ｕへ回動するのに応じて上記ロックピン１０５がロック溝１０６に係合，離脱するようになっている。操作レバー１０３と支持基板９２との間には，操作レバー１０３をロック位置Ｌの方向に付勢するロックばね１０７が縮設される。またハンドルブラケット８７には，その先端面から上縁部にかけてロックピン１０５のロック溝１０６への係合を誘導する円弧面８７ａが形成される。
【００６９】
而して，移動用ハンドル８６を枢軸ボルト９４，周りに格納位置Ｂから使用位置Ａに回動して，ロックピン１０５が円弧面８７ａに誘導されつゝロック溝１０６に到達すると，ロックばね１０７の付勢力により操作レバー１０３がロック位置Ｌに回動されてロックピン１０５がロック溝１０６に係合する。こうして，移動用ハンドル８６は，水平の使用位置Ａにロックされる。
【００７０】
この移動用ハンドル８６の左右のグリップ９３，９３を把持して引き上げ，接地脚８４，８４を浮上させた状態で移動用ハンドル８６を押し引きすれば，車輪８３，８３の回転により，エンジン駆動式発電機１を軽快に移動することができる。
【００７１】
このような移動ハンドル８６の使用中に，それから手を離すことがあって，該ハンドル８６はロック機構１０１によりロックされ続けるので，該ハンドル８６の自重による格納位置Ｂへの回動を阻止することができ，該ハンドル８６の操作性が良好である。
【００７２】
また移動用ハンドル８６を使用位置Ａへ回動したときは，ストッパ９６がハンドルブラケット８７に当接する直前からダンパ９７のクッション部材９９がブッシュ１００を介してハンドルブラケット８７に当接して弾性変形するので，移動用ハンドル８６の回動衝撃を吸収することができ，しかも該ハンドル８６がロック機構１０１により使用位置Ａにロックされる後も，上記クッション部材９９の弾性変形は維持されるため，その反発力によりロック機構１０１のガタつきを防ぐことができる。さらにクッション部材９９は，その外周を覆うブッシュ１００により，ハンドルブラケット８７との直接接触を回避されるので，その耐久性を高めることができる。
【００７３】
その移動後は，操作レバー１０３を，ロックばね１０７の付勢力に抗してアンロック位置Ｕへ回動して，ロックピン１０５をロック溝１０６から離脱させれば，移動用ハンドル８６は，枢軸ボルト９４周りの回動が自由となる。したがって，該ハンドル８６を垂直姿勢の格納位置Ｂへ回動することができる。
【００７４】
このとき，移動用ハンドル８６の左右のハンドルグリップ９３，９３がフレーム２の底枠２ａに当接することで，左右のハンドルバー８８，８８及びクロスメンバ８９は吸気ボックス３４の前面に配置され，制御ユニット５３，インバータ５５及びバッテリ６１と共に吸気ボックス３４を他物との接触から保護する強固なバンパの役割を果たす。
【００７５】
また移動用ハンドル８６を上記のように格納位置Ｂに折り畳んだ状態では，移動用ハンドル８６に邪魔されることなく，エンジン駆動式発電機１による作業を容易に行うことができ，またエンジン駆動式発電機１の倉庫等への格納時には比較的小さい格納スペースで足りる。
【００７６】
しかも該ハンドル８６がバンパとして機能することにより，吸気ボックス３４に特別なガードフレームを設けずとも，格納位置に回動された移動用ハンドル８６とフレーム２の底枠２ａとで吸気ボックス３４を効果的に保護することができ，したがって制御ユニット５３，インバータ５５及びバッテリ６１を収容する大型の吸気ボックス３４のボックス本体３６を合成樹脂製として，その軽量化を図ることができる。
【００７７】
本発明は，上記実施例に限定されるものではなく，その要旨を逸脱しない範囲で種々の設計変更が可能である。
【００７８】
例えば，エアクリーナ４５を，吸気ボックス３４と同様にフレーム２に固定支持し，エンジン３の振動に伴なう気化器４４及びエアクリーナ４５間の相対変位を，気化器４４及びエアクリーナ４５間を連通する弾性連通チューブ４６の撓みに吸収させることもでき，この場合はエアクリーナ４５の空気入口管４７ａを吸気ボックス３４に一体的に接続することができる。
【００７９】
また排気マフラ７４の出口管は，図９に符号７４ａ′で示すように，排気ボックス６８の外璧を貫通させて外部に開口させることもできる。この場合は，排気ボックス６８の排気ルーバ７３からは冷却風のみが排出される。
【図面の簡単な説明】
【００８０】
【図１】本発明に係るエンジン駆動式発電機の側面図で移動用ハンドルを使用状態で示す。
【図２】同エンジン駆動式発電機の平面図。
【図３】同エンジン駆動式発電機の正面図。
【図４】移動用ハンドルを格納状態にした場合の同エンジン駆動式発電機の正面図。
【図５】吸気ボックスのボックス本体を取り外した状態で示す同エンジン駆動式発電機の正面図。
【図６】同エンジン駆動式発電機の背面図。
【図７】排気ボックスの一部を破断して示す同エンジン駆動式発電機の背面図。
【図８】同エンジン駆動式発電機の一部の分解斜視図。
【図９】図３の９−９線断面図。
【図１０】図３の１０−１０線断面図。
【図１１】図３の１１−１１線断面図。
【図１２】図１１の１２−１２線断面図。
【図１３】図２の１３−１３線断面図。
【図１４】図１３の１４−１４線断面図。
【図１５】図１の移動用ハンドル部の拡大図。
【図１６】図１５の１６−１６線断面図。
【図１７】図１６の１７−１７線断面図。
【図１８】図１５の１８−１８線断面図。
【図１９】図１５の１９−１９線断面図。
【図２０】図９の２０−２０線断面図。
【符号の説明】
【００８１】
１・・・・・エンジン駆動式作業機（エンジン駆動式発電機）
２・・・・・フレーム
２ａ・・・・底枠
２ｂ・・・・側枠
３・・・・・エンジン
４・・・・・作業機（発電機）
３４・・・・制御ボックス（吸気ボックス）
５３・・・・電装品（制御ユニット）
５５・・・・電装品（インバータ）
８３・・・・車輪
８６・・・・移動用ハンドル
８８・・・・ハンドルバー
８９・・・・クロスメンバ
９３・・・・ハンドルグリップ
Ａ・・・・・移動用ハンドルの使用位置
Ｂ・・・・・移動用ハンドルの格納位置
【図１】
2005030552.tif 000003
【図２】
2005030552.tif 000004
【図３】
2005030552.tif 000005
【図４】
2005030552.tif 000006
【図５】
2005030552.tif 000007
【図６】
2005030552.tif 000008
【図７】
2005030552.tif 000009
【図８】
2005030552.tif 000010
【図９】
2005030552.tif 000011
【図１０】
2005030552.tif 000012
【図１１】
2005030552.tif 000013
【図１２】
2005030552.tif 000014
【図１３】
2005030552.tif 000015
【図１４】
2005030552.tif 000016
【図１５】
2005030552.tif 000017
【図１６】
2005030552.tif 000018
【図１７】
2005030552.tif 000019
【図１８】
2005030552.tif 000020
【図１９】
2005030552.tif 000021
【図２０】
2005030552.tif 000022